(57)【特許請求の範囲】
【請求項１】
その片面に剥離可能な状態で塗布膜が設けられた長尺のテープが巻き付けられたリールである第１リールと、
前記第１リールから送られた前記テープの前記塗布膜を前記塗布膜を塗布すべき面である対象面に塗布する転写部と、
前記転写部で前記塗布膜が転写された後の前記テープを巻き取るリールである第２リールと、
前記第１リールと、前記第２リールとを収納するとともに、前記転写部を収納可能とされた、開口を備えたケースと、
前記開口を塞ぐ閉位置と前記開口を開く開位置の間で回転可能として前記ケースに取付けられた蓋と、
を備える塗布膜転写具であって、
前記ケースには、ユーザの操作によって第１位置と第２位置の間で移動可能とされた操作部材が取付けられており、
前記操作部材が第１位置にあるときには、前記蓋が閉位置にあり、且つ前記転写部が前記ケースの内にあるとともに、前記操作部材を第２位置に移動させると、前記蓋が開位置に回転移動し、且つ開いた前記開口を通って前記転写部が前記ケースの外に移動するようになっているとともに、
前記蓋は前記開位置に移動するときに、前記開口から前記ケースの中へ移動するようになっており、
且つ前記操作部材は、前記ケースに対して平行移動するようになっているとともに、その平行移動の方向と平行な、ラック歯を備えたラックを備えており、
前記蓋は、前記ラックの前記ラック歯と噛み合うピニオン歯を備えたピニオンを備えており、
前記操作部材を前記第１位置から前記第２位置に平行移動させると、平行移動する前記ラックが備える前記ラック歯と噛み合う前記ピニオン歯を有する前記ピニオンが設けられた前記蓋が回転することにより、前記蓋が閉位置から開位置に移動するようになっている、
塗布膜転写具。
【請求項２】
その片面に剥離可能な状態で塗布膜が設けられた長尺のテープが巻き付けられたリールである第１リールと、
前記第１リールから送られた前記テープの前記塗布膜を前記塗布膜を塗布すべき面である対象面に塗布する転写部と、
前記転写部で前記塗布膜が転写された後の前記テープを巻き取るリールである第２リールと、
前記第１リールと、前記第２リールとを収納するとともに、前記転写部を収納可能とされた、開口を備えたケースと、
前記開口を塞ぐ閉位置と前記開口を開く開位置の間で回転可能として前記ケースに取付けられた蓋と、
を備える塗布膜転写具であって、
前記ケースには、ユーザの操作によって第１位置と第２位置の間で移動可能とされた操作部材が取付けられており、
前記操作部材が第１位置にあるときには、前記蓋が閉位置にあり、且つ前記転写部が前記ケースの内にあるとともに、前記操作部材を第２位置に移動させると、前記蓋が開位置に回転移動し、且つ開いた前記開口を通って前記転写部が前記ケースの外に移動するようになっているとともに、
前記蓋は前記開位置に移動するときに、前記開口から前記ケースの中へ移動するようになっており、
且つ前記操作部材は、前記ケースに対して平行移動するようになっているとともに、
前記操作部材は、板状の本体を介して前記転写部と接続されているとともに、前記本体に、前記第１リールと、前記第２リールとが取付けられるようになっており、前記操作部材を前記第１位置から前記第２位置に平行移動させると、前記ケースの内部から、前記開口を通って前記ケースの外へと前記転写部が平行移動するとともに、前記転写部と、前記第１リールと、前記第２リールとが、それら相互の位置関係を維持したまま平行移動するようになっており、
前記本体には、前記第１リールの回転の軸となるようにして前記第１リールを支持する第１軸の基端が取付けられているとともに、
前記ケースには、前記操作部材の平行移動の方向と平行とされた溝であり、前記第１軸の先端が挿入されることで、平行移動する前記本体にしたがって平行移動する前記第１軸の先端を案内する第１溝が設けられている、
塗布膜転写具。
【請求項３】
その片面に剥離可能な状態で塗布膜が設けられた長尺のテープが巻き付けられたリールである第１リールと、
前記第１リールから送られた前記テープの前記塗布膜を前記塗布膜を塗布すべき面である対象面に塗布する転写部と、
前記転写部で前記塗布膜が転写された後の前記テープを巻き取るリールである第２リールと、
前記第１リールと、前記第２リールとを収納するとともに、前記転写部を収納可能とされた、開口を備えたケースと、
前記開口を塞ぐ閉位置と前記開口を開く開位置の間で回転可能として前記ケースに取付けられた蓋と、
を備える塗布膜転写具であって、
前記ケースには、ユーザの操作によって第１位置と第２位置の間で移動可能とされた操作部材が取付けられており、
前記操作部材が第１位置にあるときには、前記蓋が閉位置にあり、且つ前記転写部が前記ケースの内にあるとともに、前記操作部材を第２位置に移動させると、前記蓋が開位置に回転移動し、且つ開いた前記開口を通って前記転写部が前記ケースの外に移動するようになっているとともに、
前記蓋は前記開位置に移動するときに、前記開口から前記ケースの中へ移動するようになっており、
且つ前記操作部材は、前記ケースに対して平行移動するようになっているとともに、
前記操作部材は、板状の本体を介して前記転写部と接続されているとともに、前記本体に、前記第１リールと、前記第２リールとが取付けられるようになっており、前記操作部材を前記第１位置から前記第２位置に平行移動させると、前記ケースの内部から、前記開口を通って前記ケースの外へと前記転写部が平行移動するとともに、前記転写部と、前記第１リールと、前記第２リールとが、それら相互の位置関係を維持したまま平行移動するようになっており、
前記本体には、前記第２リールの回転の軸となるようにして前記第２リールを支持する第２軸の基端が取付けられているとともに、
前記ケースには、前記操作部材の平行移動の方向と平行とされた溝であり、前記第２軸の先端が挿入されることで、平行移動する前記本体にしたがって平行移動する前記第２軸の先端を案内する第２溝が設けられている、
塗布膜転写具。
【請求項４】
前記操作部材は、前記ケースに対して平行移動するようになっているとともに、その平行移動の方向と平行な、ラック歯を備えたラックを備えており、
前記蓋は、前記ラックの前記ラック歯と噛み合うピニオン歯を備えたピニオンを備えており、
前記操作部材を前記第１位置から前記第２位置に平行移動させると、平行移動する前記ラックが備える前記ラック歯と噛み合う前記ピニオン歯を有する前記ピニオンが設けられた前記蓋が回転することにより、前記蓋が閉位置から開位置に移動するようになっている、
請求項２又は３記載の塗布膜転写具。
【請求項５】
前記操作部材は、前記ケースに対して平行移動するようになっているとともに、
前記操作部材は、前記転写部と接続されており、前記操作部材を前記第１位置から前記第２位置に平行移動させると、前記ケースの内部から、前記開口を通って前記ケースの外へと前記操作部材が平行移動するようになっている、
請求項１記載の塗布膜転写具。
【請求項６】
前記操作部材は、板状の本体を介して前記転写部と接続されているとともに、前記本体に、前記第１リールと、前記第２リールとが取付けられるようになっており、
前記操作部材を前記第１位置から前記第２位置に平行移動させると、前記転写部と、前記第１リールと、前記第２リールとが、それら相互の位置関係を維持したまま平行移動するようになっている、
請求項５記載の塗布膜転写具。
【請求項７】
前記本体には、前記第１リールの回転の軸となるようにして前記第１リールを支持する第１軸の基端が取付けられているとともに、
前記ケースには、前記操作部材の平行移動の方向と平行とされた溝であり、前記第１軸の先端が挿入されることで、平行移動する前記本体にしたがって平行移動する前記第１軸の先端を案内する第１溝が設けられている、
請求項３又は６記載の塗布膜転写具。
【請求項８】
前記本体には、前記第２リールの回転の軸となるようにして前記第２リールを支持する第２軸の基端が取付けられているとともに、
前記ケースには、前記操作部材の平行移動の方向と平行とされた溝であり、前記第２軸の先端が挿入されることで、平行移動する前記本体にしたがって平行移動する前記第２軸の先端を案内する第２溝が設けられている、
請求項２又は６記載の塗布膜転写具。
【請求項９】
前記操作部材の前記第１位置と前記第２位置との間での移動と、前記蓋の閉位置と開位置との間とでの移動とは、前記操作部材が移動すれば前記蓋が移動し、前記操作部材が移動しなければ前記蓋も移動しないように、完全に連動している、
請求項１から３のいずれかに記載の塗布膜転写具。
【請求項１０】
前記操作部材は、前記操作部材に対して所定の操作をユーザが行った場合に限り前記ケースに対して、前記所定の操作を行っていない場合に比して小さな力で、前記ケースに対して平行移動を行わせることができるようになっている、
請求項１、２、３又は７記載の塗布膜転写具。
【発明の詳細な説明】
【技術分野】
【０００１】
本発明は、テープの片面に剥離可能な状態で設けられた塗布膜を所定の被転写面に転写するために用いられる塗布膜転写具に関する。
【背景技術】
【０００２】
長尺のテープの片面に剥離可能な状態で設けられた塗布膜を所定の被転写面に転写するために用いられる塗布膜転写具が実用されている。塗布膜としては、例えば、修正塗料や、粘着剤がある。塗布膜転写具は、塗布膜が修正塗料であるときは修正テープ転写部として、塗布膜が粘着剤であるときは糊転写部として、用いられることになる。塗布膜転写具は、他にもマーキングテープ、デコレーションテープの転写部等として多様に利用されている。
【０００３】
塗布膜転写具は通常、長尺のテープを供給するためのリールである第１リールと、第１リールからテープを供給され、テープに設けられた塗布膜を被転写面に転写するための転写部と、転写部を通過した言わば使用済みと言えるテープを回収するためのリールである第２リールとを備えており、これらをケースに取付けたものとなっている。
通常、第１リールと、第２リールとは、ケースの内部に収納されている。
他方転写部は、ケースの外部にケースに設けられた開口を介して常時露出するようになっている場合と、ケースの外部と内部をケースに設けられた開口を通って移動可能とされている場合がある。転写部は、塗布膜を被転写面に転写するというその機能的な必然性から少なくとも塗布膜転写具の使用時においてはケースの外部に露出している必要があり、上述の必然性を、常時ケースの外部に転写部が位置するようにすること、又はケースの内外で移動可能な転写部を使用時においてケースの外部に位置させられるようにすることによって担保している。
他方、転写部がケースの外に常時位置する場合であっても、転写部がケースの内外を移動する場合であっても、塗布膜転写具は通常、蓋を備えている。蓋は、転写部をケースの外部から隔離することにより転写部とテープを保護するものであり、ケースの外部に露出した転写部が何かに当たって破損する可能性や、或いは転写部又はテープがゴミや誇りで汚れる可能性を低減する。蓋は、ケースに、着脱自在に、或いは可動にして取付けられるようになっているのが通例である。
【０００４】
以上のようなバリエーションを有する塗布膜転写具であるが、本願出願人は、転写部がケースの内外を移動し、且つ蓋がケースに対して移動可能なものを採用することが多い。
転写部がケースの内外にわたって移動するタイプの塗布膜転写具は、転写部が常にケースの外に位置するものに比較して構造が複雑で部品点数が多くなりがちであり、コスト的にも不利になる場合もあるものの、転写部やテープを保護するという所期の目的を達成しやすい。
また、蓋がケースに対して移動可能な塗布膜転写具は、蓋がケースに対して着脱自在なものに比較してこれも構造が複雑になりやすいが、蓋がケースに対して着脱自在なものに起こりやすい蓋の紛失の問題からは無縁である。
そのような点が、上述の如き塗布膜転写具を本願出願人が採用したいと考える理由である。
【０００５】
転写部がケースの内外を移動し、且つ蓋がケースに対して移動可能な塗布膜転写具では、転写部と蓋が移動を行う。そして、これら転写部と蓋の移動がまとめて行われるようになっていれば、ユーザにとって便利である。
そして、実際にそれを可能とするための技術も既に提案されている。
第１の技術は、蓋として柔軟な樹脂素材である蓋を用いた技術である。この場合には、ケースの外側に露出した操作部材を操作することにより、転写部が開口に向かって前後することにより転写部をケースの外と、内との間で移動させることができるようになっているとともに、蓋を開口を塞ぐ閉位置と開口を開く開位置の２つの位置の間で移動させられるようになっている。蓋は上述の如く柔軟であり、閉位置から開位置に移動するときに、ケースの内側面に沿って湾曲しながら移動して、開位置に至ったときにはケースの内側に入り込む。
第２の技術は、蓋として回転可能な硬質の素材でできたキャップを用いた技術である（特許文献１）。この場合には、ケースの外側に露出した操作部材を操作したときに、転写部が開口に向かって前後することにより転写部をケースの外と、内との間で移動させることができるようになっているとともに、蓋を、開口を塞ぐ閉位置と開口を開く開位置の２つの位置の間で回転により移動させられるようになっている。蓋は、開位置においてはケースの外に位置する。
【先行技術文献】
【特許文献】
【０００６】
【特許文献１】特開２０１１−１２１２０２
【発明の概要】
【発明が解決しようとする課題】
【０００７】
しかしながら、上述の第１の技術は、柔軟な樹脂素材で構成された蓋が必要であり、その製造コストが嵩みやすい。また、柔軟な素材で構成された蓋は、その柔軟さ故にそれが閉位置にあり開口を閉じている場合であっても、それが外側から押される等した場合に、転写部の保護を十分に行えなくなる可能性が存在する。
また、第２の技術は、蓋が硬質で有る故に第１の技術における上述の課題は生じないものの、開位置にある蓋がケースの外に位置するため、蓋が開位置にあるとき、つまり塗布膜転写具が使用されるときに、蓋が邪魔になり易く、それ故蓋が壊れやすいという課題がある。また、第２の技術は、バネなどの複雑な機構を用いるため、コストが嵩みやすい。
以上のように、塗布膜転写具の転写部と蓋の移動がワンアクションで行われるというのを前提とした場合に、転写部の保護が十分であり、塗布膜転写具が使用されるときに蓋が邪魔にならず、そして製造コストを抑制することができる技術は存在していない。
【０００８】
本願発明は、転写部と蓋の移動がまとめて可能であるというのを前提としつつ、転写部の保護が十分であり、塗布膜転写具が使用されるときに蓋が邪魔にならず、そして製造コストを抑制することができる塗布膜転写具を提供することをその課題とする。
【課題を解決するための手段】
【０００９】
上述の課題を解決するため、本願出願人は以下の発明を提案する。
本願発明は、その片面に剥離可能な状態で塗布膜が設けられた長尺のテープが巻き付けられたリールである第１リールと、前記第１リールから送られた前記テープの前記塗布膜を前記塗布膜を塗布すべき面である対象面に塗布する転写部と、前記転写部で前記塗布膜が転写された後の前記テープを巻き取るリールである第２リールと、前記第１リールと、前記第２リールとを収納するとともに、前記転写部を収納可能とされた、開口を備えたケースと、前記開口を塞ぐ閉位置と前記開口を開く開位置の間で回転可能として前記ケースに取付けられた蓋と、を備える塗布膜転写具である。
そして、この塗布膜転写具の前記ケースには、ユーザの操作によって第１位置と第２位置の間で移動可能とされた操作部材が取付けられており、前記操作部材が第１位置にあるときには、前記蓋が閉位置にあり、且つ前記転写部が前記ケースの内にあるとともに、前記操作部材を第２位置に移動させると、前記蓋が開位置に回転移動し、且つ開いた前記開口を通って前記転写部が前記ケースの外に移動するようになっているとともに、前記蓋は前記開位置に移動するときに、前記開口から前記ケースの中へ移動するようになっている。
この塗布膜転写具は、第１位置と第２位置との間を移動させることのできる操作部材を備えている。そして、一つの操作部材を第１位置から第２位置へ移動させることにより、例えば、ワンアクションで、蓋と転写部とをまとめて移動させることができる。このときの蓋と転写部との移動は、蓋においては閉位置から開位置への回転による移動であり、転写部についてはケースの内から外への移動である。なお、操作部材を第２位置から第１位置に移動させた場合には、蓋と転写部はそれぞれ、上述したのと逆向きに移動を行う。
回転を行うことで閉位置と開位置の間を移動する蓋は、硬質の材料で作ることができるので、蓋の素材が原因でコストの上昇を招くことはないし、蓋の素材が原因で転写部の保護が不十分となることもない。
また、この塗布膜転写具では、蓋は開位置にあるとき、ケースの中に位置するようになっている。したがって、蓋が開位置にある場合に、つまり、塗布膜転写具が使用されているときにおいても、蓋がケースの外に存在する場合のように蓋が邪魔になることがない。
つまり、本願の塗布膜転写具は、転写部と蓋の移動がまとめて可能でありつつも、転写部の保護が十分であり、塗布膜転写具が使用されるときに蓋が邪魔にならず、そして製造コストを抑制することができるものとなっている。
【００１０】
前記操作部材は、前記ケースに対して平行移動するようになっていても良い。操作部材がそのようなものである場合、操作部材は、操作部材のその平行移動の方向と平行な、ラック歯を備えたラックを備えていても良い。そして、操作部材がそのようなものである場合には、前記蓋は、前記ラックの前記ラック歯と噛み合うピニオン歯を備えたピニオンを備えていても良い。
操作部材がラックを、蓋がピニオンをそれぞれ備えている場合には、前記操作部材を前記第１位置から前記第２位置に平行移動させると、平行移動する前記ラックが備える前記ラック歯と噛み合う前記ピニオン歯を有する前記ピニオンが設けられた前記蓋が回転することにより、前記蓋が閉位置から開位置に移動するようになる。
このようにいわゆるラック・アンド・ピニオン機構を用いることにより、蓋の回転運動を容易に実現することができる。
【００１１】
上述のように、前記操作部材は、前記ケースに対して平行移動するようになっていても良い。操作部材がそのようなものである場合には、前記操作部材は、前記転写部と接続されており、前記操作部材を前記第１位置から前記第２位置に平行移動させると、前記ケースの内部から、前記開口を通って前記ケースの外へと前記操作部が平行移動するようになっていても良い。
上述のように操作部材は、ケースに対して平行移動を行う場合がある。そのような場合には、操作部材の平行移動を、転写部の移動に転換することが可能である。一部品であるか否かはともかく、操作部材と転写部が一体となっており、操作部材が移動したのと同じ方向と量だけ、操作部材を移動させたときに、転写部が移動するようにすることにより、最も簡単に転写部の移動を実現できることになる。
【００１２】
前記操作部材は、板状の本体を介して前記転写部と接続されているとともに、前記本体に、前記第１リールと、前記第２リールとが取付けられるようになっており、前記操作部材を前記第１位置から前記第２位置に平行移動させると、前記転写部と、前記第１リールと、前記第２リールとが、それら相互の位置関係を維持したまま平行移動するようになっていても良い。
このようにすると、操作部材を移動させたときに、転写部と、第１リールと、第２リールとの相対的な位置関係を変化させることなく、転写部を移動させることができるようになる。第１リールから転写部までの間と、転写部から第２リールまでの間とには、テープが張り渡される。そして、一般的に、テープには適度なテンションがかけられている。操作部材を移動させることで転写部を移動させる場合に、転写部と、第１リールと、第２リールとの相対的な位置関係を変化させないのであれば、テープにかかったテンションを変化させないで済む。
第１リールと、第２リールが、転写部との相対的な位置関係を変化させずに、操作部材を移動させたときに移動するようになっている場合には、本願の塗布膜転写具は以下のようなものとすることができる。
例えば、前記本体には、前記第１リールの回転の軸となるようにして前記第１リールを支持する第１軸の基端が取付けられているとともに、前記ケースには、前記操作部材の平行移動の方向と平行とされた溝であり、前記第１軸の先端が挿入されることで、平行移動する前記本体にしたがって平行移動する前記第１軸の先端を案内する第１溝が設けられている、ようにすることができる。そうすることにより、その先端が第１溝に挿入された状態で、第１軸を安定して平行移動させられるようになるので、本体の平行移動を安定したものとすることができる。或いは、前記本体には、前記第２リールの回転の軸となるようにして前記第２リールを支持する第２軸の基端が取付けられているとともに、前記ケースには、前記操作部材の平行移動の方向と平行とされた溝であり、前記第２軸の先端が挿入されることで、平行移動する前記本体にしたがって平行移動する前記第２軸の先端を案内する第２溝が設けられていても良い。これによっても、上記の場合と同様の効果を得られる。もちろん、第１軸の先端を第１溝に挿入することと、第２軸の先端を第２溝に挿入することを、同時に採用することも可能である。
【００１３】
本願の塗布膜転写具では、前記操作部材の前記第１位置と前記第２位置との間での移動と、前記蓋の閉位置と開位置との間とでの移動とは、前記操作部材が移動すれば前記蓋が移動し、前記操作部材が移動しなければ前記蓋も移動しないように、完全に連動していても良い。
閉位置に位置する蓋は、転写部の保護を行うという機能を有する。かかる機能が確実に発揮されるには、閉位置に位置する蓋は、ユーザが操作部材を第１位置から第２位置に移動させた場合を除き、ユーザが意図しないときに開位置に移動するべきではない。操作部材と転写部の移動が上述のようにして完全に連動しているのであれば、操作部材が動かない限り転写部が動かなくなる。これは、転写部の質量が、操作部材の質量や、場合によっては両者を接続する本体や、それに取付けられた第１軸、第１リール、第２軸、第２リールまで含めた質量を持つということを意味する。そのようにして転写部の質量を大きくして、その慣性を大きくすることにより、意図しないときに蓋が回転して移動するという可能性を低減できる。例えば、塗布膜転写具が上述したラック・アンド・ピニオン機構を持つのであれば、操作部材が第１位置と第２位置との間を移動する間のすべての範囲において、操作部材と接続されたラックのラック歯と、蓋に設けられたピニオンのピニオン歯とが噛んでいれば、蓋と操作部材との移動を完全に連動させることができる。
蓋が予期せぬときに閉位置から開位置に移動するのをより確実に防ぐには、例えば、以下のようにすれば良い。前記操作部材は、前記操作部材に対して所定の操作をユーザが行った場合に限り、前記所定の動作を行っていない場合に比して小さな力でも、前記ケースに対して平行移動を行わせることができるようになっていてもよい。これはつまり、ユーザが操作部材に対して所定の操作を行った場合にのみ、操作部材が動くようになるか、動きやすくなるということである。これは、裏を返せば、ユーザが所定の操作を行わない限り、操作部材はロックされて動かないか、或いは大きな力を加えない限り動かないということである。操作部材が移動しない限り蓋が回転しないのであれば、これは操作部材に所定の操作がなされない限り蓋が回転しないか、少なくとも回転しにくいということを意味する。所定の操作は、操作部材に対して、操作部材を蓋が閉位置にある第１位置から蓋が開位置にある第２位置へ移動させるのとは異なる方向、例えばその移動の方向とは直角な方向に移動させる、というものとすることができる。例えば、塗布膜転写具がユーザの鞄の中に入れられているときに、鞄の中にある他の物との干渉により、操作部材に、操作部材を第１位置から第２位置に向けて移動させる力と、操作部材の移動の方向と直交する向きの力とが働くことは、殆ど考えにくい。したがって、そのようにすることにより、予期せぬときに蓋が閉位置から開位置に移動するということを良く防止できる。
【図面の簡単な説明】
【００１４】
【図１】本願の一実施形態における、蓋が開位置にある場合の塗布膜転写具の斜視図。
【図２】図１に示した塗布膜転写具の（ａ）は左側面図、（ｂ）は平面図、（ｃ）は底面図、（ｄ）は正面図、（ｅ）は背面図。
【図３】図１に示した塗布膜転写具の蓋が閉位置にある場合における、左部材を除去した状態の左側面図。
【図４】図１に示した塗布膜転写具の蓋が開位置にある場合における、左部材を除去した状態の左側面図。
【図５】図１に示した塗布膜転写具に含まれるスライド部材の（ａ）は、左前方下側から見た斜視図、（ｂ）は左から見た側面図、（ｃ）は左後方下側から見た斜視図、（ｄ）は右前方下側から見た斜視図、（ｅ）は右側から見た側面図、（ｆ）は右後方下側から見た斜視図。
【図６】図１に示した塗布膜転写具の左部材の内側面に設けられたリブの構成を示す斜視図。
【図７】図１に示した塗布膜転写具に含まれる蓋の（ａ）は、左側から見た斜視図、（ｂ）は湾曲部を内側から見た状態を示す図、（ｃ）は右側から見た斜視図。
【図８】図１に示した塗布膜転写具の使用状態を概略的に示す側面図。
【発明を実施するための形態】
【００１５】
以下、図面を参照しつつ、本発明の好ましい一実施形態を説明する。
【００１６】
この実施形態における塗布膜転写具の外観、より正確には使用時における外観を、図１の斜視図、及び図２の５面図に示す。これには限られないが、この実施形態の塗布膜転写具は、糊転写部であり、後述するように、それが有するテープに設けられた塗布膜は粘着剤である。
【００１７】
塗布膜転写具は、ケース１００を備えている。ケース１００は、いずれも樹脂製の左右２つの部材を組合せてできている。なお、ケース１００は、その内部に後述する第１リール、第２リール等を収納するものであるから、組立ての都合上複数に分割されているのが一般的ではあるが、その分割の仕方は、この実施形態の場合の如く左右に分割するに限られないのは当然である。
以下の説明では、便宜上、ケースを上から見たときに右側に位置する部材を右部材１００Ｒ、左に位置する部材を左部材１００Ｌと呼ぶこととし、左右の概念はそれに倣うことにする。右部材１００Ｒと左部材１００Ｌの固定は周知、或いは公知の方法で行えば良く、例えば何らかの手段による係止でも構わないし、或いは接着により固定されても構わない。
【００１８】
ケース１００は、その内部が中空となっており、そこに後述する第１リール、第２リールが収納されるようになっている。第１リールは後述するように使用前のテープが巻き付けられたものであり、第２リールは後述するように、使用済みと言えるテープを巻き取るものである。テープ、第１リール、第２リールの構成は塗布膜転写具において公知、或いは周知のものを採用することができる。
ケース１００の前面には、これには限られないが略矩形とされた開口１１０が設けられている。また、ケース１００の上面には、その前後方向に延びる開口である操作スリット１２０が設けられている。
ケース１００の内側の空間には、後述するスライド部材が取付けられている。スライド部材の上側には、後述するようにして操作部２２０が設けられている。操作部２２０は、操作スリット１２０を介してケース１００の上面に露出している。
スライド部材の前側には、また、転写部２５０が設けられている。転写部２５０は、後述するテープに設けられた粘着剤である塗布膜を、塗布膜を転写すべき面である対象面に転写する機能を有している。転写部２５０は、塗布膜転写具の不使用時には、ケース１００の内部に収納されるようになっている。他方、塗布膜転写具を使用するときには、転写部２５０は、開口１１０を通って開口１１０の前側に移動し、ケース１００の外側に露出するようになっている。図１に示した塗布膜転写具では、転写部２５０は、ケース１００の外側に露出した状態となっている。
また、開口１１０は、後述する蓋で塞ぐことができるようになっている。蓋は、開口１１０を塞ぐ閉位置と、開口１００を開く開位置の間で移動できるようになっている。
【００１９】
左部材１００Ｌを外した状態の塗布膜転写具を示す図３を参照しつつ、塗布膜転写具の構成をより詳細に説明する。
図中１００Ｒが右部材である。左部材１００Ｌも同様であるが、右部材１００Ｒは、板状の略小判型で比較的広い小判部１００Ｒ１と、小判部１００Ｒ１を略一周囲む、その接続部分では面取りはされているものの小判部１００から垂直に立上がる側壁部１００Ｒ２とを備えている。
右部材１００Ｒの前側に当たる部分の側壁１００Ｒ２には、開口１１０を形成するための開口１１０の半分に相当する略矩形の切欠き１１０Ｒが設けられている。かかる切欠き１１０Ｒは、左部材１００Ｌの側壁１００Ｌ２の右部材１００Ｒの切欠き１１０Ｒと左右対称となる位置に存在する、右部材１００Ｒの切欠き１１０Ｒと同じ大きさで左右対称の形状となっている切欠き１１０Ｌと一体となって、開口１１０を形成する。
右部材１００Ｒの上側に当たる部分の側壁１００Ｒ２には、操作スリット１２０を形成するための操作スリット１２０の半分に相当する略矩形でその前後の部分の幅がやや太くなっている切欠き１２０Ｒが設けられている。かかる切欠きは、左部材１００Ｌの側壁１００Ｌ２の右部材１００Ｒの切欠き１２０Ｒと左右対称となる位置に存在する、右部材１００Ｒの切欠き１２０Ｒと同じ大きさで左右対称の形状となっている切欠き１２０Ｌと一体となって、操作スリット１２０を形成する。
【００２０】
右部材１００Ｒの小判部１００Ｒ１の内側面には、案内レール１３１、１３２が設けられている。案内レール１３１、１３２は、右部材１００Ｒの小判部１００Ｒ１の内側面から突出しており、後述するスライド部材の移動方向に沿う方向に配されている。案内レール１３１、１３２はスライド部材の移動方向を規制するものであり、スライド部材は案内レール１３１、１３２にその移動方向を規制されて、ケース１００の内部を前後方向に移動するようになっている。案内レール１３１、１３２の長さ方向に垂直な断面の形状と大きさはともに、これには限られないが、それらの長さ方向のすべての位置において同じとされており、これには限られないが、この実施形態では矩形である。
右部材１００Ｒの操作スリット１２０を形成する切欠き１１０Ｒよりも更に前側の部分の側壁１００Ｒ２の内側には、側壁１００Ｒ２に略直角な方向に張り出すリブ１４０が設けられている。リブ１４０は、後述する蓋が開位置に位置したときに、その回転が過剰になるのを防止するためのものである。
案内レール１３１、１３２、リブ１４０がどのように機能するかについては後述する。
【００２１】
右部材１００Ｒの小判部１００Ｒ１の内側面の先端下方には、後述する蓋を軸支するための、軸である右蓋軸（図示を省略）が、小判部１００Ｒ１に垂直に設けられている。左部材１００Ｌの小判部１００Ｌ１の先端下方の右蓋軸と対象な位置には、これも、蓋を軸支するためのものであり、右蓋軸と同軸な左蓋軸（図示を省略）が設けられている。
【００２２】
右部材１００Ｒには、スライド部材２００が取付けられている。必ずしもこの限りではないが、スライド部材２００は、樹脂製の一体物である。スライド部材２００を樹脂製の一体物とすることは部品点数の減少につながり、塗布膜転写具の製造コストを抑制する。
【００２３】
スライド部材２００は、図５に示されたように構成されている。スライド部材は、本体部２１０と、上述した操作部２２０と、第１軸２３０、第２軸２４０とを備えており、その前方が、上述した転写部２５０となっている。
【００２４】
本体部２１０は、その前方が後方よりも細く形成されており、全体として略小判型の板状体である。本体部２１０の太く形成された後方の部分の上面は、案内レール１３１の下面に当接するようになっている。本体部２１０の太く形成された後方の部分の下面は、案内レール１３２の上面に当接するようになっている。また、本体部２１０の細く形成された前方の部分の下面には下方に突出する突起２１１が設けられており、突起２１１は、案内レール１３２の上面に当接するようになっている。突起２１１は、案内レール１３２と、本体部２１０との間の摩擦力を小さくする機能を有する。後述するように、スライド部材２００はケース１００に対して前後方向に移動するが、そのときに、その移動の方向に沿って延びた案内レール１３１、１３２によって本体部２１０は案内される。それにより、本体部２１０をその一部とするスライド部材２００は、安定した状態で、ケース１００に対して前後方向に移動する。
【００２５】
操作部２２０は矩形であり、板状体を組合せて形成された接続部２２１を介して本体部２１０と接続されている。操作部２２０の左右方向の幅は、上述の操作スリット１２０の幅より広くされている。他方、接続部２２１の操作部２２０と接続されている部分の近辺には、操作スリット１２０の前後の幅の広くなった部分と略同じ幅を持つ、操作部２２０と平行とされた、板状の係止板２２１Ａが設けられている。係止板２２１Ａの上下の部分においては接続部２２１の幅は操作スリット１２０の幅よりも狭くされている。それにより、操作部２２０は、接続部２２１で支持された状態で、操作スリット１２０の上側に位置するようになっている。また接続部２２１は、それを構成する樹脂の特性とその形状に由来する弾性を有している。上述のように操作部２２０は操作スリット１２０の上側に位置するが、そのとき操作部２２０は、ケース１００の上側面との間に隙間を有する状態、言い換えればケース１００の上側面から僅かに浮いた状態となっているとともに、係止板２２１Ａが、ちょうど操作スリット１２０と同じ高さになるようになっている。他方、上述の接続部２２１が有する弾性のおかげで、操作部２２０は、ケース１００に向かって多少移動できるように、つまり使用時においては、ユーザは操作部２２０をケース１００に向けて押し込むことができるようになっている。ユーザが操作部２２０をケース１００に押し込んでいない状態では、係止板２２１Ａは、操作スリット１２０の前後の幅広の部分のいずれかに嵌り込んでいる。この状態では、操作部２２０をケース１００の前後方向に移動させようとしても、係止板２２１Ａが操作スリット１２０の幅広の部分に係止されているから、操作部２２０は動かない。他方、操作部２２０をケース１００の上面に向けて押し込むと、係止板２２１Ａが操作スリット１２０の幅広の部分から外れてケース１００の内側に入り込む。この状態では、操作部２２０を前後方向に動かすことができる。
つまり、上述の係止板２２１Ａの存在と、接続部２２１の持つ弾性のおかげで、この実施形態の操作部２２０は、操作部２２０の移動方向とは異なる向きに操作部２２０を移動させる、つまり操作部２２０をケースに向けて押し込んだ場合に限り、操作部２２０をケース１００の前後方向に移動させることができるようになっている。もっとも、操作部２２０を押し込まなくても大きな力を操作部２２０にかければ、係止板２２１Ａが操作スリット１２０の前端の幅広の部分の中にある場合には当該幅広の部分の最も後の端部に対して滑って、或いは、係止板２２１Ａが操作スリット１２０の後端の幅広の部分の中にある場合には当該幅広の部分の最も前の端部に対して滑って、ケース１００内に入り込むこともあり得るので、例えば係止板２２１Ａが存在していたとしても、係止板２２１Ａが操作スリット１２０の前端か後端の幅広の部分の中に嵌っており且つ操作部２２０がケース１００の上面に対して押し込まれていない場合に、操作部２２０がケース１００に対して完全にロックされているとは言えないこともあり得る。ただし、その場合であっても、操作部２２０は、操作部２２０の移動方向とは異なる向きに操作部２２０を移動させた場合に限り、少なくともそのような操作をしなかった場合に比べて小さな力で、操作部２２０をケース１００の前後方向に移動させることができるようになっていると言える。
つまり、この実施形態では、操作部２２０は、操作部に対して所定の操作をユーザが行った場合に限りケース１００に対して、所定の動作を行っていない場合に比して小さな力で、ケース１００に対して平行移動を行わせることができるようになっている。この場合の所定の動作は、ケース１００に対する押し込みであるが、所定の動作はこれには限らず、例えば、ケース１００の幅方向への操作部２２０の移動など、ケース１００に対して行う平行移動とは異なる方向への移動とすることができる。
【００２６】
第１軸２３０は、第１リールを回転可能に軸支するものであり、第２軸２４０は、第２リールを回転可能に軸支するものである。第１リール、第２リールについては後述する。
第１軸２３０と、第２軸２４０とは、スライド部材２００の本体部２１０に対して垂直に設けられている。第１軸２３０と、第２軸２４０は、ともに断面円形の棒状体である。第１軸２３０と第２軸２４０はともに、ケース１００の幅方向の長さに略対応した長さとされている。ケース１００の左部材１００Ｌの小判部１００Ｌ１の内側には、図６に示したような、スライド部材２００の移動の方向に沿って延びている細長い小判型形状とされた２つのリブ１５０、１６０が設けられており、リブ１５０と、１６０の内側にはそれぞれ、溝１５１、１６１が構成されている。第１軸２３０と、第２軸２４０とはそれぞれ、その先端が、溝１５１と、溝１６１に挿入された状態とされる。第１軸２３０と、第２軸２４０が、スライド部材２００が移動するときに溝１５１と、溝１６１に案内されるので、スライド部材２００の移動は更に安定したものとなる。なお、第１軸２３０と、第２軸２４０は、スライド部材２００の本体部２１０を、右部材１００Ｌの小判部１００Ｒ１の内側面に近接する部分に位置決めする機能をも有している。それにより、本体部２１０は、案内レール１３１と、案内レール１３２との間に正しく位置することになる。
【００２７】
本体部２１０の左側の面の第１軸２３０の周囲には、第１軸２３０を囲むようにして、ラチェット機構で周知の片側に傾斜する歯であるラチェット歯２３１が設けられている。ラチェット歯２３１は、後述する第１ギアの回転方向を一方向のみに制限するものである。
第１軸２３０には、また、第１回転部材２３２が取付けられている。第１回転部材２３２は、円筒形とされた円筒部２３２Ａと、円筒部２３２Ａの側面の三方対称位置に、円筒部２３２Ａの側面から半径方向に突出するようにして設けられた板状の羽２３２Ｂとを有する。第１回転部材２３２は、円筒部２３２Ａが有する孔を第１軸２３０に貫通させた状態で第１軸２３０に取付けられており、第１軸２３０の周りを回転することができるようになっている。
第１回転部材２３２の本体部２１０よりには、歯車である第１ギア２３３が、円筒部２３２Ａと同軸として取付けられており、第１回転部材２３２とともに、第１軸２３０周りに回転できるようになっている。第１ギア２３３には、その弧に沿うような３つの弓状の孔である弓状孔２３３Ａが穿たれている。この弓状孔２３３Ａは、上述したラチェット歯２３１に対応する位置に存在している。弓状孔２３３Ａの長さ方向の端部は、ラチェット歯２３１の傾斜方向に沿う方向に第１ギア２３３が回転した場合においてはラチェット歯２３１に係止されることはないが、ラチェット歯２３１の傾斜方向とは逆方向に第１ギア２３３が回転した場合においてはラチェット歯２３１に係止されるようになっている。これにより、第１回転部材２３２は、所望の一方向にしか回転できないようになっている。
第１回転部材２３２には、第１リール３００（図３、図４参照）が取付けられている。第１リール３００は、円筒形であり、その内側の孔３１０にはその幅方向に、多数の係止歯３１１が切られている。係止歯３１１と係止歯３１１の間の適当な位置に、第１回転部材２３２の３枚の羽２３２Ｂが入り込むようにして、第１リール３００の孔３１０に第１回転部材２３２の円筒部２３２Ａを挿入することによって、第１リール３００は、第１回転部材２３２に、滑らない状態で取付けられている。
第１リール３００には、長尺のテープ３２０が巻付けられている。テープ３２０は、周知、或いは公知のもので良い。テープ３２０の片面には、それが転写される転写体正面に対して付着させられるようにして転写される塗布膜が配されている。これには限られないが、この実施形態におけるテープ３２０は、粘着剤層である。粘着剤層は、テープ３２０のうち転写部２５０で転写面に対して当接させられる側の面にのみ設けられている。
【００２８】
第２軸２４０には、第２リール４００が取付けられる。第２リール４００は、その中心を貫通する孔４１０を備えている。孔４１０は第２軸２４０の径に対応した径とされており、第２軸２４０に孔４１０を貫通されることにより、第２リール４００は、第２軸２４０に回転可能に取付けられている。
図示を省略するが、第２リール４００の右部材１００Ｒの小判部１００Ｒ１よりの面には、第２リール４００と同軸とされた図示を省略の歯車である第２ギアが設けられている。そして、第２ギアは、上述の第１ギア２３３と噛み合っている。したがって、第１ギア２３３が回転すれば、第２ギアは第１ギア２３３と逆向きに回転する。これにより、第１リール３００と第２リール４００は、前者が回転すれば、後者が前者の角速度に比して一定の角速度で、前者と逆向きに回転することになる。
【００２９】
転写部２５０は、本体部２１０の先端部分と、これには限られないが、本体部２１０の先端部と同形状である、先端に向かって先細る流線型形状とされた板である対向板２５１と、対向板２５１と、本端部１１０の先端部分とを繋ぐ、略水平な板である接続板２５２とを備えている。本体部２１０の先端と、対向板２５１の先端にはそれぞれ、丸い切り欠き状とされた軸受孔２５３が設けられている。
軸受孔２５３には、円柱形のローラ２５４が、ローラ２５４と同軸とされたその両端の軸２５４Ａを軸受孔２５３に挿入することよって、回転可能として取付けられている。
図３、図４では図示を省略しているが、上述のテープ３２０は、第１リール３００から、その粘着剤層を外側に向けた状態でローラ２５４に掛け回され、第２リール４００に至るようになっている。第１リール３００から巻解かれたテープ３２０は、ローラ２５４に至り、そこでその粘着剤層を対象面に転写される。そして、言わば使用済みとなったテープ３２０は第２リール４００に至り第２リール４００に巻き取られるようになっている。
【００３０】
本体部２１０の先端側の右部材１００Ｒの小判部１００Ｒよりの面には、複数のラック歯を持つ、その長さ方向がスライド部材２００の移動の方向に沿うラック２６０が設けられている。
【００３１】
ケース１００には、蓋５００が取付けられている。蓋５００を図７に拡大して示す。
蓋５００は、平行に配された、ともに略扇型の板である右側面部５１０及び左側面部５２０と、右側面部５１０及び左側面板５２０の弧状の部分を繋ぐように湾曲した板である湾曲部５３０とを備えている。
右側面部５１０には上述した右蓋軸がその中に嵌る右軸受孔５１１が、左側面部５２０には上述した左蓋軸がその中に嵌る左軸受孔５２１が、それぞれ設けられている。蓋５００は、右蓋軸を右軸受孔５１１に嵌め、左蓋軸を左軸受孔５２１に嵌めることにより、回転可能としてケース１００に取付けられている。
右側面部５１０の下方には、また、上述のラック２６０のラック歯と噛み合うピニオン歯を有するピニオン５１２が、右蓋軸と左蓋軸とを繋ぐ直線を中心とする円弧上に位置するようにして、設けられている。ラック２６０とピニオン５１２はいわゆるラック・アンド・ピニオン機構を構成し、ラック２６０をその長さ方向に移動させると、ピニオン５１２が回転するようになっている。つまり、スライド部材２００がその前後方向に移動すると、蓋５００は回転する。
【００３２】
以上で説明した塗布膜転写具の使用方法、及び動作を説明する。
【００３３】
塗布膜転写具は、不使用状態では、図３に示したような状態となっている。このときの蓋５００は、開口１１０を閉じており、閉位置にある。
この状態では、操作部２２０は操作スリット１２０の一番後ろに位置しており、それ故、スライド部材２００もケース１００内で一番後ろに位置している。このとき、操作部２２０は、ケース１００の上面から幾らか浮いた状態となっており、また、係止板２２１Ａは、操作スリット１２０の後端の幅広の部分に嵌り込んだ状態となっている。
塗布膜転写具を使用しようとするユーザは、塗布膜転写具をこれには限られないが、例えば親指を除く４本の指で持ち、例えば空いた親指で操作部２２０をケース１００の上面に向けて押し込む。そうすると、操作スリット１２０の後端の幅広の部分に嵌って、ケース１００の上側の面を構成する部材と係止し合っていた係止板２２１Ａがケース１００の内部に入り込む。それにより、係止板２２１Ａとケース１００の上側の面を構成する部材との係止が外れる。それにより、操作部２２０は操作スリット１２０に沿って前方に移動可能となる。
操作部２２０をケース１００の上側の面に向けて押し込んだままユーザは操作部２２０をケース１００の前方に移動させる。そうすると、操作部２２０を有するスライド部材２００全体がケース１００の前方に移動する。このときスライド部材２００の本体部２１０は、その上下を、案内レール１３１、１３２で案内され、且つ本体部２１０から延びる第１軸２３０、第２軸２４０はそれぞれ、リブ１５０と、リブ１６０の内側に設けられた溝１５１と、溝１６１にその先端を案内されるので、スライド部材２００の前方への移動は安定したものとなる。
【００３４】
スライド部材２００がケース１００の前方へ移動すると、本体部２１０に設けられたラック２６０も前方へ移動する。そうするとラック２６０のラック歯と噛み合うピニオン歯を有するピニオン５１２が回転し、ピニオン５１２を有する蓋５００は上方へ跳ね上げられるようにして回転する。
回転を終えた後の蓋５００は、図４に示すように、ケース１００の中に位置した状態となる。このときの蓋５００の位置が開口１１０を露出させる開位置である。なお、ピニオン５１２のピニオン歯とラック２６０のラック歯は、蓋５００の回転が行われている間中互いに噛み合った状態となっている。また、蓋５００の回転が過剰になることは、リブ１４０が存在し、回転を過剰にしようとした蓋５００はリブ１４０に当たるため、完全に防止される。
蓋５００が回転を行っている間にも、スライド部材２００は前進を続ける。転写部２５０は、開位置へと移動しつつある蓋５００の下側から、開口１１０を通ってケース内からケース外へと移動してくる。その結果、操作部２２０が操作スリット１２０の最も前方まで移動すると、転写部２５０は、図４に示したようにケース１００の開口１１０の更に前側に位置することになり、ケース１００から露出した状態となる。
なお、スライド部材２００が移動を行っても第１リール３００、第２リール４００、及び転写部２５０の相対的な位置関係には変わりはない。したがって、テープ３２０にかかっているテンションにも変化がない。
【００３５】
この状態でユーザは、塗布膜転写具を使用することができる。
ユーザが操作部２２０から親指を離すと、操作部２２０がケース１００の上面から幾らか浮いた状態となる。このとき、係止板２２１Ａは、操作スリット１２０の前端の幅広の部分に嵌り込んだ状態となっているから、操作部２２０をケース１００の上面に向けて押し込まない限り操作部２２０は後ろには移動しない。
塗布膜転写具を使用するには、ユーザは、図８に示したようにして塗布膜転写具を傾けて、その転写部２５０のローラ２５４を対象面Ｓに押し付けつつ、太い矢印で示したように塗布膜転写具を後方に移動させる。そうすると、テープ３２０の粘着剤層が、ローラ２５４によってテープ３２０越しに対象面Ｓに押付けられ、対象面Ｓに転写されていく。
テープ３２０には適度なテンションがかかっている。したがって、テープ３２０がローラ２５４の部分で移動すると、テープ３２０は図８中の細い矢印で図示された方向に全体として移動する。テープ３２０が移動すると、その力が第１リール３００に伝わり、第１リール３００が回転することによって第１リール３００からテープ３２０が巻き解かれていく。他方、第１リール３００と固定の関係にあり第１リール３００とともに回転する第１ギア２３３と噛み合う第２ギアを有する第２リール４００は、第１リール３００とは逆方向に回転し、粘着剤層が対象面Ｓに転写された後の言わば使用済みと言えるテープ３２０を回収する。なお、第１リール３００の回転方向はラチェット歯２３１によって規制されるから、逆方向への回転は生じない。
このようにしてユーザは、対象面Ｓの所望の部分に粘着剤層を転写することができる。
【００３６】
ユーザが塗布膜転写具の使用を終了するときは、以下の操作を行う。
ユーザは、塗布膜転写具を持ち、操作部２２０をケース１００の上面に向けて押し込む。そうすると、操作スリット１２０の前端の幅広の部分に嵌って、ケース１００の上側の面を構成する部材と係止し合っていた係止板２２１Ａがケース１００の内部に入り込む。それにより、係止板２２１Ａとケース１００の上側の面を構成する部材との係止が外れる。それにより、操作部２２０は操作スリット１２０に沿って後方に移動可能となる。
操作部２２０をケース１００の上側の面に向けて押し込んだままユーザは操作部２２０をケース１００の後方に移動させる。そうすると、操作部２２０を有するスライド部材２００全体がケース１００の後方に移動する。スライド部材２００の本体部２１０が、その上下を、案内レール１３１、１３２で案内されること、及び本体部２１０から延びる第１軸２３０、第２軸２４０がそれぞれ、リブ１５０と、リブ１６０の内側に設けられた溝１５１と、溝１６１にその先端を案内されることは、スライド部材２００の前方への移動の場合と同じである。
【００３７】
スライド部材２００がケース１００の後方へ移動すると、本体部２１０に設けられたラック２６０も後方へ移動する。そうするとラック２６０のラック歯と噛み合うピニオン歯を有するピニオン５１２が回転し、ピニオン５１２を有する蓋５００は、図３に示された閉位置に至る。蓋５００が回転を終えるまで、ピニオン５１２のピニオン歯とラック２６０のラック歯は、噛み合った状態を保つ。
蓋５００が回転を行っている間にも、スライド部材２００は後進を続ける。転写部２５０は、閉位置へと移動しつつある蓋５００の下側から、開口１１０を通ってケース外からケース内へと移動する。操作部２２０が操作スリット１２０の最も後ろまで移動すると、転写部２５０は、図３に示したようにケース１００の内部に移動した状態となる。このとき開口１１０は蓋５００で閉ざされている。したがって、転写部２５０やテープ３２０は蓋５００によって、ケース１００外部の例えば埃から保護される。
この状態では上述したように、操作部２２０をケース１００の上側の面に向かって押し込まない限り操作部２２０は前方には移動しない。したがって、塗布膜転写具を例えば、剥き出しのまま鞄の中に入れていたとしても、鞄の中の何かと干渉して操作部２２０が前方に移動して蓋５００が開位置に移動し、転写部２５０とテープ３２０がケース１００外に露出することはない。
【符号の説明】
【００３８】
１００  ケース
１１０  開口
２００  スライド部材
２１０  本体部
２２０  操作部
２３０  第１軸
２４０  第２軸
２２１Ａ  係止板
２６０  ラック
３００  第１リール
４００  第２リール
５００  蓋
５１２  ピニオン
【図１】
0006418821.tif 000002
【図２】
0006418821.tif 000003
【図３】
0006418821.tif 000004
【図４】
0006418821.tif 000005
【図５】
0006418821.tif 000006
【図６】
0006418821.tif 000007
【図７】
0006418821.tif 000008
【図８】
0006418821.tif 000009